(57)【要約】【課題】複数のタッチパネルをつなぎ合わせて構成された入力装置において、複数のタッチパネルがつなぎ合わされた領域におけるタッチ位置を検出可能な表示装置を提供する。【解決手段】タッチパネル１０１〜１０４は、タッチ操作を検出して、検出値を出力する。位置算出回路１３は、タッチパネル１０１〜１０４からの検出値に基づいて、タッチされたタッチ位置を算出する。各タッチパネル１０１〜１０４は、つなぎ目部２０を介してつなぎ合わされる。位置算出回路１３は、つなぎ目部２０のつなぎ目領域２０１〜２０５をタッチするタッチ操作に応じて、タッチされたつなぎ目領域を跨いで隣り合うタッチパネルによる検出値に基づいて、つなぎ目領域２０１〜２０５におけるタッチ位置を算出する。【選択図】図１１
2015194983.tif 000002
【特許請求の範囲】
【請求項１】
タッチ操作を検出して、検出値を出力する複数のタッチパネルと、
前記タッチパネルからの検出値に基づいて、タッチされたタッチ位置を算出する位置算出部とを備え、
前記各タッチパネルは、つなぎ目部を介してつなぎ合わされ、
前記位置算出部は、
前記つなぎ目部のつなぎ目領域をタッチするタッチ操作に応じて、タッチされたつなぎ目領域を跨いで隣り合うタッチパネルによる検出値に基づいて、前記つなぎ目領域におけるタッチ位置を算出する入力装置。
【請求項２】
前記各タッチパネルは、前記検出値を検出する検出領域を複数の区域に分割し、
前記位置算出部は、
タッチされた区域と当該タッチされた区域の周囲からなる所定領域の検出値に基づいて、前記タッチ位置を算出する
請求項１に記載の入力装置。
【請求項３】
前記位置算出部は、
前記つなぎ目領域を跨いで隣り合う区域の検出値に基づいて、前記つなぎ目領域がタッチされたか否かを検知し、
前記つなぎ目領域がタッチされたことを検知した場合、タッチされたつなぎ目領域を跨いで隣り合う区域と前記隣り合う区域の周囲からなる所定領域の検出値に基づいて、前記タッチ位置を算出する
請求項２に記載の入力装置。
【請求項４】
前記位置算出部は、
前記つなぎ目領域がタッチされたことを検知しなかった場合、タッチされた区域を含む複数の区域の検出値に基づく重心計算を行い、
前記つなぎ目領域がタッチされたことを検知した場合、タッチされたつなぎ目領域を跨いで隣り合う区域を含む複数の区域の検出値に基づく重心計算を行って、重心計算による算出値を、タッチされたつなぎ目領域の寸法に応じて補正し、
前記タッチ位置を算出する
請求項３に記載の入力装置。
【請求項５】
前記位置算出部は、
前記つなぎ目領域を跨いで隣り合う複数の区域の検出値に基づいて、前記つなぎ目領域上の区域の検出値を算出して、前記つなぎ目領域上の区域に割り当てる
請求項２に記載の入力装置。
【請求項６】
前記タッチパネルは、
互いに交差して配置される第１及び第２の電極を複数有し、
前記第１及び第２の電極間の静電容量の変動を検出することによって、前記検出値を検出する
請求項１〜５のいずれか１つに記載の入力装置。
【請求項７】
請求項１〜６のいずれか１つに記載の入力装置と、
画像を表示する表示面を有する表示部と
を備える表示装置。
【発明の詳細な説明】
【技術分野】
【０００１】
本開示は、タッチ操作による入力機能を有する入力装置及びそのような入力装置を備えた表示装置に関する。
【背景技術】
【０００２】
表示画面に使用者の指などでタッチ操作して情報を入力する画面入力機能をもつ入力装置を備えた表示装置が、ＰＤＡや携帯端末などのモバイル用電子機器、各種の家電製品、無人受付機等の据置型顧客案内端末に用いられている。このようなタッチ操作による入力装置におけるタッチ検出方式として、容量変化を検出する静電容量結合方式が知られている。
【０００３】
静電容量結合方式のタッチパネルは、高い透過率（約９０％）によって、表示画質の低下を抑えられる。また、座標検出用の電極が、他の電極などと接触するような機械的接触がないことにより、耐久性の観点からも利点がある。
【０００４】
また、電子黒板などのタッチセンサ機能を備えた表示装置において、低価格で大型の表示装置を提供することが要求されている。この要求に応えるために、小型の表示装置またはパネルを複数並べて構成されるマルチディスプレイの開発が進められている。
【０００５】
特許文献１には、２つ以上のディスプレイ画面と各ディスプレイ画面上に配置されたタッチパネルに関する技術が開示されている。特許文献１は、所定の隙間を挟んで隣り合った２つディスプレイ画面に対して所定のタッチ操作が行われると、仮想的にその隙間がないとみなし、タッチされた２点間の所定領域にある部品が指定されたと認識する技術を開示している。
【０００６】
特許文献２は、複数個のタッチパネルをタッチパネルの一部が互いに重なるように配置された表示装置を開示している。
【先行技術文献】
【特許文献】
【０００７】
【特許文献１】国際公開第２０１１／０５２３２４号
【特許文献２】特開２０１３−４５１５０号公報
【発明の概要】
【発明が解決しようとする課題】
【０００８】
本開示は、複数のタッチパネルをつなぎ合わせて構成された入力装置において、複数のタッチパネルがつなぎ合わされた領域におけるタッチ位置を検出可能な入力装置を提供することを目的とする。
【課題を解決するための手段】
【０００９】
本開示における入力装置は、複数のタッチパネルと、位置算出部とを備える。タッチパネルは、タッチ操作を検出して、検出値を出力する。位置算出部は、タッチパネルからの検出値に基づいて、タッチされたタッチ位置を算出する。各タッチパネルは、つなぎ目部を介してつなぎ合わされる。位置算出部は、つなぎ目部のつなぎ目領域をタッチするタッチ操作に応じて、タッチされたつなぎ目領域を跨いで隣り合うタッチパネルによる検出値に基づいて、つなぎ目領域におけるタッチ位置を算出する。
【００１０】
本開示における表示装置は、入力装置と、画像を表示する表示面を有する表示部とを備える。
【発明の効果】
【００１１】
本開示にかかる入力装置によれば、つなぎ目領域を跨いで隣り合うタッチパネルによる検出値を用いて算出することで、つなぎ目領域におけるタッチ位置を検出することができる。
【図面の簡単な説明】
【００１２】
【図１】実施の形態１にかかるタッチセンサ機能を備えた液晶表示装置の全体構成を説明するためのブロック図
【図２】実施の形態１におけるタッチパネルの詳細な構成を示すブロック図
【図３】タッチセンサを構成する駆動電極と検知電極の配列の一例を示す図
【図４】タッチ操作を行っていない状態とタッチ操作を行った状態におけるタッチセンサの等価回路を説明した図
【図５】タッチ操作を行っていない場合とタッチ操作を行った場合の検出信号の変化を示す図
【図６】液晶パネルの走査信号線の配列とタッチセンサの駆動電極および検知電極の配列を示す図
【図７】液晶パネルの表示更新を行う走査信号線のラインブロックへの走査信号の入力と、タッチセンサのタッチ検出を行うための駆動電極のラインブロックへの駆動信号の供給との関係の一例を示す図
【図８】１フレームにおける走査信号と駆動信号の印加の状態を示すタイミングチャート
【図９】１水平走査期間における表示更新期間とタッチ検出期間との関係の一例を説明するためのタイミングチャート
【図１０】実施の形態１における表示部のタッチパネルとつなぎ目部の詳細な位置関係を説明するための図
【図１１】つなぎ目部がタッチされた場合におけるタッチパネルの検出状態の一例を示す図
【図１２】実施の形態１の液晶表示装置におけるタッチ位置を算出するための処理のフローチャート
【図１３】実施の形態１におけるタッチ位置の算出方法を説明するための図
【図１４】つなぎ目部付近がタッチされた場合におけるタッチ位置の算出方法を説明するための図
【図１５】つなぎ目部がタッチされた場合におけるタッチ位置の算出方法を説明するための図
【図１６】実施の形態２における仮想電極の配置例を示す図
【図１７】実施の形態２の液晶表示装置におけるタッチ位置を算出するためのフローチャート
【図１８】実施の形態２におけるタッチ位置の算出方法を説明するための図
【発明を実施するための形態】
【００１３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１４】
なお、発明者らは、当業者が本開示を十分に理解するために添付図面および以下の説明を提供するのであって、これらによって特許請求の範囲に記載の主題を限定することを意図するものではない。
【００１５】
（実施の形態１）
以下、添付の図面を用いて、実施の形態１を説明する。
【００１６】
１−１．構成
図１は、実施の形態１における入力装置であるタッチセンサを備えた液晶表示装置の全体構成を説明するブロック図である。図１に示すように、液晶表示装置は、表示部１と、バックライトユニット２と、走査線駆動回路３と、映像線駆動回路４と、バックライト駆動回路５と、信号制御装置８と、タッチコントローラ１４とを備えている。
【００１７】
表示部１は、画像や文字を表示面に表示する。表示部１は、複数の液晶パネルで構成される。各液晶パネルはタッチセンサ機能を有するタッチパネルである。図２に示すように、４つのタッチパネル１０１〜１０４は、所定の間隔をあけて配置され、各タッチパネル間の隙間をつなぎ目部２０でつなぎ合わせて、１枚のパネルとして表示部１を構成している。つなぎ目部２０は、例えば樹脂で形成される。なお、つなぎ目部２０の材料は樹脂に限定するものではなく、視認性上、目立たない素材であればよい。
【００１８】
タッチパネル１０１〜１０４は、それぞれ同一の構成であるので、ここでは、タッチパネル１０１を一例として説明する。タッチパネル１０１は、ガラス基板などの透明基板からなるＴＦＴ基板と、このＴＦＴ基板に対向するように所定の間隙を設けて配置される対向基板とを有し、ＴＦＴ基板と対向基板との間に液晶材料を封入することにより構成されている。
【００１９】
ＴＦＴ基板は、表示部１の背面側に位置する。ＴＦＴ基板を構成する基板上に、マトリクス状に配置された画素電極と、画素電極に対応して設けられ画素電極への電圧印加をオンオフ制御するスイッチング素子としての薄膜トランジスタ（ＴＦＴ）と、共通電極などが形成されている。
【００２０】
また、対向基板は、表示部１の前面側に位置する。対向基板を構成する透明な基板に上、画素電極に対応する位置に少なくとも赤（Ｒ）緑（Ｇ）青（Ｂ）の３原色からなるカラーフィルタ（ＣＦ）と、ＲＧＢの各サブピクセルの間および／またはＲＧＢのサブピクセルで構成される画素間に配置されるコントラストを向上させるための遮光材料からなるブラックマトリクスなどが形成されている。なお、本実施の形態では、ＴＦＴ基板の各サブピクセルに形成されるＴＦＴはｎチャネル型のＴＦＴであるとして説明する。
【００２１】
ＴＦＴ基板には、複数の映像信号線９と複数の走査信号線１０とが、互いに概ね直交して形成される。走査信号線１０はＴＦＴの水平方向に設けられ、複数のＴＦＴのゲート電極に共通に接続される。映像信号線９はＴＦＴの垂直方向に設けられ、複数のＴＦＴのドレイン電極に共通に接続される。また、各ＴＦＴのソース電極には、ＴＦＴに対応する画素領域に配置された画素電極が接続される。
【００２２】
ＴＦＴ基板に形成された各ＴＦＴは、走査信号線１０に印加される走査信号に応じて、所定の単位でオン／オフ動作が制御される。オンに制御された水平列の各ＴＦＴは、画素電極を、映像信号線９に印加される映像信号に応じた電位（画素電圧）に設定する。そして、表示部１は、複数の画素電極およびこの画素電極に対向するように設けた共通電極を有し、画素電極と共通電極との間に生じる電界により画素領域毎に液晶の配向を制御して、バックライトユニット２から入射した光に対する透過率を変えることにより、表示面に画像を形成する。
【００２３】
バックライトユニット２は、表示部１の裏面側に配置され、表示部１の裏面から光を照射するもので、例えば複数の発光ダイオードを配列して面光源を構成する構造や、発光ダイオードの光を導光板と拡散反射板とを組み合わせて用い、面光源とする構成の構造のものが知られている。
【００２４】
走査線駆動回路３は、ＴＦＴ基板に形成された複数の走査信号線１０に接続されている。走査線駆動回路３は、信号制御装置８から入力されるタイミング信号に応じて走査信号線１０を順番に選択し、選択した走査信号線１０にＴＦＴをオンする電圧を印加する。例えば、走査線駆動回路３は、シフトレジスタを含んで構成される。シフトレジスタは信号制御装置８からのトリガ信号を受けて動作を開始し、垂直走査方向に沿って走査信号線１０を順次選択し、選択した走査信号線１０に走査パルスを出力する。
【００２５】
映像線駆動回路４は、ＴＦＴ基板に形成された複数の映像信号線９に接続されている。映像線駆動回路４は、走査線駆動回路３による走査信号線１０の選択に合わせて、選択された走査信号線１０に接続されるＴＦＴそれぞれに、各サブピクセルの階調値を表す映像信号に応じた電圧を印加する。これにより、選択された走査信号線１０に対応するサブピクセルに映像信号が書き込まれる。
【００２６】
バックライト駆動回路５は、信号制御装置８から入力される発光制御信号に応じたタイミングや輝度でバックライトユニット２を発光させる。
【００２７】
本実施形態では、静電容量方式のタッチセンサを採用している。タッチセンサは複数の駆動電極１１と複数の検知電極１２とで構成される。タッチパネル１０１において、複数の駆動電極１１と複数の検知電極１２とが互いに交差するように配置されている。駆動電極１１及び検知電極１２は、それぞれ第１及び第２の電極の一例である。
【００２８】
これらの駆動電極１１および検知電極１２により構成されるタッチセンサは、駆動電極１１と検知電極１２との間で、電気信号の入力および静電容量変化による応答検出を行い、表示面（検出領域）に対する物体の接触（近接）を検出する。この接触を検出する電気回路として、センサ駆動回路６および信号検出回路７が設けられている。
【００２９】
センサ駆動回路６は、交流信号を発生する回路であり、駆動電極１１に接続される。例えば、センサ駆動回路６は、信号制御装置８からタイミング信号を入力し、表示部１の画像表示に同期して駆動電極１１を順番に選択し、選択した駆動電極１１に矩形状のパルス電圧による駆動信号Ｔｘｖを供給する。例えば、センサ駆動回路６は、走査線駆動回路３と同様、シフトレジスタを含んで構成される。シフトレジスタは、信号制御装置８からのトリガ信号を受けて動作を開始し、垂直走査方向に沿って駆動電極１１を順次選択し、選択した駆動電極１１にパルス電圧による駆動信号Ｔｘｖを供給する。
【００３０】
なお、駆動電極１１および走査信号線１０は、ＴＦＴ基板に水平方向の列方向に延在するように形成され、垂直方向の行方向に複数本配列されている。これらの駆動電極１１および走査信号線１０に電気的に接続されるセンサ駆動回路６および走査線駆動回路３は、画素が配列される表示領域の幅方向（水平方向）の両側に配置され、幅方向の一方の側に走査線駆動回路３を配置し、他方の側にセンサ駆動回路６を配置している。なお、表示領域の幅方向の一方の側に走査線駆動回路３及びセンサ駆動回路６の両方を配置してもよいし、パネル周辺の配線などにより、その他の方向に引出してもよい。
【００３１】
信号検出回路７は、静電容量変化を検出する検出回路であり、検知電極１２に接続される。信号検出回路７は、検知電極１２毎に検出回路を設け、検知電極１２において検出した静電容量変化を検出信号Ｒｘｖとして出力する。なお、他の構成例としては、複数の検知電極１２群に対して１つの検出回路を設け、駆動電極１１に印加される複数回のパルス電圧において、複数の検知電極１２群毎に検出信号Ｒｘｖの検出を時分割で行い、検出信号Ｒｘｖを出力するようにしてもよい。
【００３２】
表示面上での物体の接触位置は、どの駆動電極１１に駆動信号Ｔｘｖを印加したときに、どの検知電極１２で接触による信号が検出されたかの判断結果に基づいて求められる。駆動信号Ｔｘｖが印加された駆動電極１１と、検出信号Ｒｘｖが得られた検知電極１２との交点が、演算により接触位置として求められる。なお、接触位置を求める演算は、液晶表示装置内に演算回路を設けて行われてもよいし、液晶表示装置の外部の演算回路により行われてもよい。
【００３３】
信号制御装置８は、ＣＰＵなどの演算処理回路およびＲＯＭやＲＡＭなどのメモリを備えている。信号制御装置８は、入力される映像データに基づき、色調整などの各種の画像信号処理を行って各サブピクセルの階調値を示す画像信号を生成し、映像線駆動回路４に供給する。また、信号制御装置８は、入力された映像データに基づき、走査線駆動回路３、映像線駆動回路４、バックライト駆動回路５、センサ駆動回路６および信号検出回路７それぞれに対して、タイミング信号を生成し、供給する。また、信号制御装置８は、バックライト駆動回路５への発光制御信号として、入力された映像データに基づいて発光ダイオードの輝度を制御するための輝度信号を供給する。
【００３４】
位置算出回路１３は、信号検出回路７から出力される検出信号Ｒｘｖを用いて、表示部１のタッチ（接触）位置を算出する。タッチ位置の算出方法の詳細は後述する。位置算出回路１３は、位置算出部の一例である。
【００３５】
ここで、表示部１の各信号線および電極に接続される走査線駆動回路３、映像線駆動回路４、センサ駆動回路６、信号検出回路７および位置算出回路１３は、フレキシブル配線板やプリント配線板やガラス基板に、各回路の半導体チップを搭載することにより構成している。しかし、走査線駆動回路３、映像線駆動回路４、センサ駆動回路６、信号検出回路７および位置算出回路１３の各回路を、ＴＦＴ基板に、ＴＦＴなどとともに同時に形成してもよい。
【００３６】
図３は、タッチセンサを構成する駆動電極と検知電極の配列の一例を示す図である。図３に示すように、入力装置としてのタッチセンサは、水平方向（図２の左右方向）に延在する複数本のストライプ状の電極パターンである駆動電極１１と、駆動電極１１の導電体の延在方向と交差する方向に延びる複数本のストライプ状の導電体である検知電極１２とから構成されている。それぞれの駆動電極１１と検知電極１２とが互いに交差した部分それぞれに、静電容量を持つ容量素子が形成されている。
【００３７】
また、駆動電極１１は、走査信号線１０が延在する方向に平行な方向に延在するように配列されている。そして、駆動電極１１は、後で詳細に説明するが、Ｍ（Ｍは自然数）本の走査信号線を１ラインブロックとしたときにおける、Ｎ（Ｎは自然数）個のラインブロックのそれぞれに対応するように配置される。駆動電極１１、ラインブロック毎に駆動信号Ｔｘｖを印加する。
【００３８】
タッチ検出動作を行う際は、センサ駆動回路６から駆動電極１１に対し、ラインブロック毎に時分割で順次走査するように駆動信号Ｔｘｖを供給する。これにより、検出対象となる１つのラインブロックが順次選択される。また、検知電極１２から検出信号Ｒｘｖを受信することにより、１つのラインブロックのタッチ検出が可能となっている。
【００３９】
１−２．動作
１−２−１．タッチ検出原理
以上のように構成される液晶表示装置の動作を説明する。最初に、入力装置におけるタッチ検出の原理について、図４、図５を用いて説明する。本実施形態の入力装置は、静電容量方式のタッチセンサを採用する。
【００４０】
図４（ａ）、（ｂ）は、タッチ操作を行っていない状態（図４（ａ））とタッチ操作を行った状態（図４（ｂ））における、タッチセンサの概略構成と等価回路を説明した図である。図５は、タッチ操作を行っていない場合とタッチ操作を行った場合の検出信号の変化を説明した図である。
【００４１】
静電容量方式のタッチセンサでは、互いに交差する一対の駆動電極１１と検知電極１２との交差部（図３参照）において容量素子が形成される。すなわち、図４（ａ）に示すように、駆動電極１１、検知電極１２および誘電体Ｄによって、容量素子Ｃ１が構成される。容量素子Ｃ１は、その一端が交流信号源としてのセンサ駆動回路６に接続され、他端Ｐは、抵抗器Ｒを介して接地されるとともに、電圧検出器としての信号検出回路７に接続される。
【００４２】
交流信号源としてのセンサ駆動回路６から駆動電極１１（容量素子Ｃ１の一端）に、数十ｋＨｚ〜数百ｋＨｚ程度の所定の周波数のパルス電圧による駆動信号Ｔｘｖ（図５参照）を印加すると、検知電極１２（容量素子Ｃ１の他端Ｐ）に、図５に示すような出力波形（検出信号）Ｒｘｖが現れる。
【００４３】
指が接触（または近接）していない状態では、図４（ａ）に示すように、容量素子Ｃ１に対する充放電に伴って、容量素子Ｃ１の容量値に応じた電流Ｉ０が流れる。このときの容量素子Ｃ１の他端Ｐの電位波形は、図５に示す検出信号Ｒｘｖの波形Ｖ０のようになり、これが電圧検出器である信号検出回路７によって検出される。
【００４４】
一方、指が接触（または近接）した状態では、図４（ｂ）に示すように、等価回路は、指によって形成される容量素子Ｃ２が容量素子Ｃ１に直列に追加された構成となる。この状態では、容量素子Ｃ１、Ｃ２に対する充放電に伴って、それぞれ電流Ｉ１、Ｉ２が流れる。このときの容量素子Ｃ１の他端Ｐの電位波形は、図４に示す検出信号Ｒｘｖの波形Ｖ１のようになり、これが電圧検出器である信号検出回路７によって検出される。このとき、点Ｐの電位は、容量素子Ｃ１、Ｃ２を流れる電流Ｉ１、Ｉ２の値によって定まる電位となる。このため、波形Ｖ１の振幅は、非接触状態での波形Ｖ０の振幅よりも小さい値となる。
【００４５】
信号検出回路７は、検知電極１２それぞれから出力される検出信号の電位を所定のしきい値電圧Ｖｔｈと比較し、このしきい値電圧以上であれば非接触状態と判断し、しきい値電圧未満であれば接触状態と判断する。このようにして、タッチ検出が可能となる。これ以外の静電容量の変化の信号を検知する方法として、電流を検知する方法等がある。
【００４６】
１−２−２．タッチセンサの駆動方法
次に、本実施形態の液晶表示装置におけるタッチセンサの駆動方法について、図６〜図９を用いて説明する。
【００４７】
図６は、液晶パネルの走査信号線の配列構造とタッチセンサの駆動電極および検知電極の配列構造を示す概略図である。
【００４８】
水平方向に延在するＸ本の走査信号線１０は、図６に示すように、Ｍ（Ｍは自然数）本の走査信号線Ｇｉ−１、Ｇｉ−２・・・Ｇｉ−Ｍ（ｉは１〜Ｎ）毎にグループ化される。グループ毎に１ラインブロックとして管理される。すなわち、走査信号線１０は、Ｎ（Ｎは自然数）個のラインブロック１０−１、１０−２・・・１０−Ｎに分割して配列されている。
【００４９】
タッチセンサの駆動電極１１は、ラインブロック１０−１、１０−２・・・１０−Ｎに対応させてＮ本の駆動電極１１−１、１１−２・・・１１−Ｎが水平方向に延在するように配列される。Ｎ本の駆動電極１１−１、１１−２・・・１１−Ｎと交差するように、複数本の検知電極１２が配列されている。
【００５０】
図７は、液晶パネルの表示更新を行う走査信号線のラインブロックへの走査信号の入力と、タッチセンサのタッチ検出を行うための駆動電極のラインブロックへの駆動信号の供給との関係の一例を示す説明図である。図６の（ａ）〜（ｆ）それぞれが１ラインブロック走査期間における状態を示している。本実施形態では、液晶パネルの表示更新を行う走査信号線を供給するラインブロックと、タッチセンサにおいてタッチ検出を行うための駆動信号を供給する駆動電極のラインブロックとを異ならせている。
【００５１】
具体的には、図７（ａ）に示すように、最初のラインブロック１０−１の走査信号線それぞれに走査信号を順次入力している水平走査期間においては、最後のラインブロック１０−Ｎに対応する駆動電極１１−Ｎに駆動信号を供給している。この後に続く水平走査期間においては、図７（ｂ）に示すように、２番目のラインブロック１０−２の走査信号線それぞれに走査信号を順次入力し、さらに、その水平走査期間においては、最初のラインブロック１０−１に対応する駆動電極１１−１に駆動信号を供給している。その後に続く水平走査期間においては、図７（ｃ）に示すように、３番目のラインブロック１０−３の走査信号線それぞれに走査信号を順次入力する。さらに、その水平走査期間においては、２番目のラインブロック１０−２に対応する駆動電極１１−２に駆動信号を供給している。
【００５２】
同様に、図７（ｄ）〜（ｆ）に示すように、ラインブロックをラインブロック１０−４、１０−５・・・１０−Ｎと順次切り替えながら、各ラインブロックの走査信号線それぞれに走査信号を順次入力していく。同時に、走査信号を供給するラインブロック１０−４、１０−５・・・１０−Ｎの１ライン前のラインブロック１０−３、１０−４、１０−５に対応する駆動電極１１−３、１１−４、１１−５に駆動信号を供給する。 
【００５３】
すなわち、本実施形態においては、駆動電極１１への駆動信号の供給は、表示更新を行う１ラインブロック走査期間において、複数の走査信号線に走査信号を印加していないラインブロックに対応する駆動電極１１−ｉ（ｉ＝１〜Ｎ）を選択して供給するように構成している。
【００５４】
図８は、図７に示す例において、走査信号と駆動信号の印加の状態を示すタイミングチャートである。図８は本実施の形態における駆動方法のタッチ検出動作を示すタイミングチャートである。
【００５５】
図８に示すように、１フレーム期間のそれぞれの水平走査期間（１Ｈ、２Ｈ、３Ｈ、…、ＭＨ）おいて、走査信号線１０にはラインブロック単位（１０−１、１０−２、…、１０−Ｎ）で走査信号が入力されて表示更新が行われる。この走査信号が入力されている期間内に、走査信号が入力されていないラインブロックに対応する駆動電極１１−Ｎ、１１−１、１１−２、…、に、タッチ検出のための駆動信号が供給されている。
【００５６】
タイミング信号は表示部１の動作のために信号制御装置８により生成される。図８において、タイミング信号１は走査信号のタイミングを表す信号であり、タイミング信号２は走査の開始タイミングを表す信号である。図８は、ラインブロック１０−１から走査を開始する例を示している。具体的には、タイミング信号２の入力後、タイミング信号１が入力されると、走査信号線Ｇ１−１に走査信号が入力される動作となる。
【００５７】
なお、液晶表示装置は、信号制御装置８から入力されるタイミング信号に応じてセンサ信号を生成し、センサ信号に基づきセンサ駆動回路６及び信号検出回路７を制御するセンサ制御回路（図示しない）を備えてもよい。センサ信号はセンサ動作のために生成される信号である。センサ信号は、センサ制御回路により信号制御装置８より入力されるタイミング信号１、２に基づいて、所定の遅延を設けて生成される。センサ駆動回路６は、センサ制御回路が生成するセンサ信号に基づいて、駆動電極１１に駆動信号を供給する。図７に示すように、センサ信号は走査信号に同期した信号となる。
【００５８】
図９は、１水平走査期間における表示更新期間とタッチ検出期間との関係の一例を説明するためのタイミングチャートである。
【００５９】
図９に示すように、各表示更新期間において、走査信号線１０（Ｇ１−１、Ｇ１−２、…）に対して走査信号が入力されるとともに、各画素の画素電極のスイッチング素子に接続される映像信号線９に対しては、入力される映像信号に応じた画素信号が入力される。
【００６０】
本開示においては、この表示更新期間に同期したタイミングでタッチ検出期間を設けている。表示更新期間の開始後遷移期間に続く期間を、タッチ検出期間としている。すなわち、走査信号が所定の電位に立ち上がり、電圧の変位が収束（安定）した時点で、駆動電極１１に駆動信号としてパルス電圧を供給し、パルス電圧の立ち上がりによる電位の変位点からタッチ検出期間を開始している。また、タッチ検出タイミングＳは、パルス電圧の立下りポイント直前とタッチ検出期間終了ポイントの２箇所に存在している。ここで、遷移期間は、前半の画素信号が変位する期間ｔ１と、画素信号の変位に伴い共通電極の電位が新たな画素信号の電位に変位する期間ｔ２とを含む期間に設定している。これは、画素信号の遷移期間後に，パネル内寄生容量の容量結合により、共通電極の電位の変動が、タッチ検出期間で起こらないようにするためである。
【００６１】
タッチ検出期間におけるタッチ検出動作は、図３、図４により説明した通りである。
【００６２】
なお、ここでは、一例としてタッチ検出タイミングＳを示したが、タッチの検出タイミングは、他の時点でもよい。例えば、液晶表示装置からのノイズを避けた時点でタッチの検出を行う。
【００６３】
また、上述の説明における図１、及び図７〜９を用いた説明については、インセル方式のタッチパネルを想定して説明した。しかし、本開示におけるタッチパネルは、インセル方式でなくてもよく、アウトセル方式やオンセル方式などでもよい。アウトセル方式やオンセル方式のタッチパネルでは、走査線駆動回路とセンサ駆動回路は、同期しなくてもよい。
【００６４】
１−２−３．タッチ位置の検出方法
本実施形態にかかる液晶表示装置は、ユーザの表示面へのタッチ操作による入力操作を受け付ける。図１に示す位置算出回路１３は、ユーザのタッチ操作に応じて、表示面内のタッチ位置を算出する。まず、位置算出回路１３が、表示面内のタッチパネル１０１〜１０４またはつなぎ目部２０がタッチされたことを検知する方法について説明する。
【００６５】
図１０は、表示部１におけるタッチパネル１０１〜１０４とつなぎ目部２０の詳細な位置関係を説明するための図である。表示部１において、つなぎ目部２０は、隣り合うタッチパネル１０１〜１０４の隙間に樹脂などを流し込んで形成されている。以下、説明の便宜上、つなぎ目部２０の表面領域を、複数のつなぎ目領域２０１〜２０５に区分けして説明する。
【００６６】
図１０に示すように、タッチパネル１０１〜１０４は、幅ｗ１および高さｈ１を有する矩形の平板形状である。タッチパネル１０１とタッチパネル１０２は、幅ｗ２および高さｈ１を有するつなぎ目領域２０１を介してつなぎ合わされている。同様に、タッチパネル１０１とタッチパネル１０３は、幅ｗ１および高さｈ２を有するつなぎ目領域２０２を介してつなぎ合わされている。タッチパネル１０２とタッチパネル１０４は、幅ｗ１および高さｈ２のつなぎ目領域２０３を介してつなぎ合わされている。タッチパネル１０３とタッチパネル１０４は、幅ｗ２および高さｈ１を有するつなぎ目領域２０４を介してつなぎ合わされている。さらに、各つなぎ目領域２０１〜２０４は、幅ｗ２および高さｈ２を有するつなぎ目領域２０５を介して連結している。
【００６７】
位置算出回路１３は、各タッチパネル１０１〜１０４における静電容量の変動に基づいて、ユーザのタッチ操作を検出する。各タッチパネル１０１〜１０４において、静電容量の変動を示す検出値は、タッチパネル１０１〜１０４の画面（検出領域）をマトリクス状に分割した区域Ａｃ毎に検出される。タッチパネル１０１〜１０４の区域Ａｃは、互いに交差する駆動電極１１と検知電極１２によって規定される（図３参照）。
【００６８】
ユーザによりタッチされた領域がタッチパネル１０１〜１０４上の領域である場合、タッチ位置を含む区域の検出値が基準値から最も大きく変化する。そのため、位置算出回路１３はその検出値の変化に基づいてタッチ位置を検出する。
【００６９】
一方、ユーザによりタッチされた領域がつなぎ目部２０のつなぎ目領域２０１〜２０５上の領域である場合、タッチ位置においては静電容量の変動が検出されない。そこで、本実施形態では、タッチされたつなぎ目領域２０１〜２０５に隣接する区域の検出値を用いて、つなぎ目領域２０１〜２０５内のタッチ位置を検出する。
【００７０】
つなぎ目部２０がタッチされたことを位置算出回路１３が検知する方法を、図１１を用いて説明する。図１１は、つなぎ目部２０がタッチされた場合におけるタッチパネルの検出状態の一例を示す図である。図１１は、つなぎ目領域２０１上の点Ｐ１がタッチされた場合に、静電容量の変動が、タッチパネル１０１およびタッチパネル１０２に亘って検出されている状態の一例を示す。図１１において、ｘ軸方向の範囲ｘ≦９３における各区域の数値は、タッチパネル１０１の各区域において検出された検出値を示し、範囲ｘ≧９４の各区域の数値は、タッチパネル１０２の各区域において検出された検出値を示す。検出値の基準値を０としている。
【００７１】
つなぎ目領域２０１は静電容量が検出されない無感帯であるので、つなぎ目領域２０１上の点Ｐ１がタッチされた場合、点Ｐ１では、タッチは検出されない。しかしながら、つなぎ目領域２０１の両側に位置するタッチパネル１０１，１０２のタッチされた点Ｐ１に隣接する区域においては、タッチした物体の近接によって静電容量が変動することで、検出値が変化する。図１１に示す例では、点Ｐ１の両側に位置する区域Ａ１，Ａ２と、区域Ａ１，Ａ２の周辺の領域の検出値が変化している。位置算出回路１３は、タッチパネル１０１〜１０４の各区域の検出値において、２つのタッチパネルに跨る領域の検出値の変化が最も大きい場合、それらの領域に挟まれるつなぎ目領域がタッチされたことを検知する。例えば、図１１の場合、区域Ａ１，Ａ２の検出値の変化が最大であるため、位置算出回路１３は、それらの区域Ａ１，Ａ２に挟まれるつなぎ目領域Ａ３がタッチされたことを検知する。
【００７２】
本実施形態の位置算出回路１３は、タッチパネル１０１〜１０４またはつなぎ目部２０がタッチされたことを検知すると、タッチされた領域とその周囲の検出値を用いて、タッチされたつなぎ目領域における詳細なタッチ位置を算出する。以下、本実施形態におけるタッチ位置を算出するための処理を説明する。
【００７３】
図１２は、実施の形態１の液晶表示装置におけるタッチ位置を算出するための処理のフローチャートである。本フローは、位置算出回路１３により実行される。
【００７４】
まず、位置算出回路１３は、表示部１にタッチ操作がなされたか否かを検知する（Ｓ１１０）。タッチ操作の検知は、各タッチパネル１０１〜１０４におけるいずれかの区域で基準値よりも大きい検出値が検出されたか否かを判断することで実行される。
【００７５】
タッチ操作を検知した場合（Ｓ１１０でＹＥＳ）、位置算出回路１３は、検知したタッチ操作において、つなぎ目領域２０１〜２０５がタッチされたか否かを判断する（Ｓ１１２）。具体的には、位置算出回路１３は、タッチパネル１０１〜１０４の各区域の検出値において、検出値が最大である区域がつなぎ目部２０に隣接し、且つ、その次に大きい検出値の区域が、検出値が最大の区域とつなぎ目部２０を跨いで隣接する場合、それらの区域に挟まれるつなぎ目領域がタッチされたことを検知する。
【００７６】
タッチされた領域がつなぎ目領域２０１〜２０５ではない場合（Ｓ１１２でＮＯ）、位置算出回路１３は、タッチパネル１０１〜１０４においてタッチされた区域を検出する（Ｓ１２０）。位置算出回路１３は、全てのタッチパネル１０１〜１０４の区域のうちの最も大きい検出値を有する区域を、タッチされた区域として検出する。本実施形態において、後述するように位置算出回路１３は、タッチ位置とつなぎ目領域との位置関係によって、異なる方法でタッチ位置を算出する。
【００７７】
タッチされた区域の周囲につなぎ目領域２０１〜２０５がない場合（Ｓ１２２でＮＯ）、位置算出回路１３は、タッチされた区域を含む１つのタッチパネルにおける検出値に基づいて、タッチ位置を算出する（Ｓ１２４）。位置算出回路１３は、例えばタッチされた区域を中心とする５行５列の領域が、つなぎ目領域２０１〜２０５と重なるか否かによって、タッチされた区域の周囲につなぎ目領域２０１〜２０５があるか否かを判断する。１つのタッチパネルにおける検出値に基づいてタッチ位置を算出する方法については後述する。
【００７８】
一方、タッチされた区域の周囲につなぎ目領域がある場合（Ｓ１２２でＹＥＳ）、位置算出回路１３は、つなぎ目領域をまたいで隣り合う複数のタッチパネルから検出値を取得して、タッチ位置を算出する（Ｓ１２６）。つなぎ目領域をまたいで隣り合う複数のタッチパネルから検出値を取得して、タッチ位置を算出する方法については後述する。
【００７９】
一方、タッチされた領域がつなぎ目領域である場合（Ｓ１１２でＹＥＳ）、まず、位置算出回路１３は、タッチされたつなぎ目領域に隣接する区域のうちで、検出値が最も大きい区域を、タッチされたつなぎ目領域の最寄りの区域として検出する（Ｓ１１４）。次に、位置算出回路１３は、つなぎ目領域を跨いで隣り合うタッチパネルから検出値を取得して、ステップＳ１２６の処理と同様にタッチ位置を算出する（Ｓ１１６）。さらに、位置算出回路１３は、タッチされたつなぎ目領域２０１〜２０５に応じて、算出値を補正する（Ｓ１１８）。これらの動作の詳細は、後述する。
【００８０】
ステップＳ１２４の処理において、タッチパネルの領域がタッチされた場合のタッチ位置の算出動作を具体的に説明する。図１３は、タッチパネル１０１がタッチされた場合のタッチ位置の算出を説明するための図である。図１３は、図１０のタッチパネル１０１の左端部分がタッチされた場合を示す。図１３において、タッチパネル１０１の検知電極１２として、ピッチ幅１０ｍｍを有する電極パターン１２１〜１２５が配置されている。なお、検知電極１２の寸法は、これに限定するものではない。
【００８１】
図１３に示すように、電極パターン１２３上の点Ｐがタッチされた場合、タッチされた区域Ａｐが検出される（Ｓ１２０）。位置算出回路１３は、区域Ａｐの周囲の領域における検出値を用いて重心計算を行うことにより、点Ｐの座標（ｘｔ，ｙｔ）を算出する（Ｓ１２４）。本実施形態においては、重心計算において区域Ａｐを中心とする５行５列の各区域における検出値を用いる。重心計算では、例えば、各区域の中心座標でそれぞれの検出値を重み付けして、５行５列の区域における平均値を算出する。重心計算において、５行５列の区域の検出値Ｄｉｊと、各列のｘ座標ｘｉと、各行のｙ座標ｙｊ（ｉ，ｊ＝１〜５）とを用いて、ｘ座標ｘｔとｙ座標ｙｔは、次式のように算出される。
ｘｔ＝ΣＤｉｊ×ｘｉ／ΣＤｉｊ，（ｉ，ｊ＝１〜５）      （１）
ｙｔ＝ΣＤｉｊ×ｙｊ／ΣＤｉｊ，（ｉ，ｊ＝１〜５）      （２）
【００８２】
位置算出回路１３の重心計算によって、区域Ａｐ内部の点Ｐの位置が算出される。例えば、電極パターン１２３の中央付近の点Ｐをタッチした場合に、区域Ａｐの中心のｘ座標ｘｔ＝２５が算出される。また、電極パターン１２３の右寄りの点Ｐ’をタッチした場合には、区域Ａｐ内部のｘ座標ｘｔ＝２８が算出される。
【００８３】
一方、ステップＳ１２０の処理で検出した区域の周囲につなぎ目領域がある場合（Ｓ１２２でＹＥＳ）、位置算出回路１３は、つなぎ目領域をまたいで隣り合う複数のタッチパネルから検出値を取得して、タッチ位置を算出する（Ｓ１２６）。以下、これを、図１４を用いて説明する。
【００８４】
図１４に示すように、つなぎ目領域２０１付近の点Ｒがタッチされた場合、タッチされた区域Ａｒの周囲の領域に、つなぎ目領域２０１が含まれる。そのため、区域Ａｒを中心とする５行５列の領域は、タッチパネル１０１の範囲内に収まらない。そこで、点Ｒの位置を計算するために、位置算出回路１３は、区域Ａｒの周囲の領域だけでなく、つなぎ目領域２０１を跨いで隣り合うタッチパネル１０２における検出値を用いる。具体的には、位置算出回路１３は、区域Ａｒを中心として、タッチパネル１０１の電極パターン１２６〜１２９とタッチパネル１０２の電極パターン１３０における５行５列の領域の検出値を用いて、上式（１），（２）に基づく重心計算を行う。以上のタッチ位置の計算においては、つなぎ目部２０を跨ぐことによる検出値の減衰を考慮して、つなぎ目部２０を跨ぐ電極パターン１３０の領域の検出値を増幅して用いてもよい。
【００８５】
なお、タッチパネル１０３がタッチされた場合も、位置算出回路１３は、タッチパネル１０１がタッチされた場合と同様にｘ座標を計算する。タッチパネル１０２，１０４がタッチされた場合、位置算出回路１３は、タッチパネル１０１の場合と同様にｘ座標を演算し、演算値にタッチパネル１０１，１０３の幅ｗ１とつなぎ目部２０１，２０４の幅ｗ２を加算して、ｘ座標を算出する。
【００８６】
また、ｙ座標についても、上述のｘ座標についての計算と同様の計算を行う。タッチパネル１０１，１０２におけるタッチ位置に関して、位置算出回路１３は、重心計算の演算値をｙ座標として算出する。タッチパネル１０３，１０４におけるタッチ位置に関して、位置算出回路１３は、重心計算の演算値にタッチパネル１０１，１０２の高さｈ１とつなぎ目部２０２，２０３の高さｈ２を加算して、ｙ座標を算出する。
【００８７】
つなぎ目部２０がタッチされた場合におけるタッチ位置の算出動作を具体的に説明する。図１５は、つなぎ目部２０がタッチされた場合におけるタッチ位置の算出方法を説明するための図である。図１５においては、一例としてタッチパネル１０１，１０２の電極パターン幅を１０ｍｍとし、つなぎ目領域２０１の幅を１０ｍｍとしている。図１５において、タッチパネル１０１とタッチパネル１０２の間のつなぎ目領域２０１上の点Ｑがタッチされている。
【００８８】
この場合、位置算出回路１３は、タッチパネル１０１の右端の電極パターン１２９とタッチパネル１０２の左端の電極パターン１３０の検出値の基準値からの変化が他の領域よりも大きいことに基づいて、つなぎ目領域２０１にタッチされたことを検知する（Ｓ１１２でＹＥＳ）。位置算出回路１３は、タッチパネル１０１，１０２において変化した検出値に基づいて、タッチされたつなぎ目領域２０１に隣接する区域のうちで、検出値が最も大きい区域Ａｑを、タッチされた点Ｑの最寄りの区域として検出する（Ｓ１１４）。
【００８９】
次に、位置算出回路１３は、タッチされた点Ｑのタッチ位置を算出する。具体的には、位置算出回路１３は、図１２に示すステップＳ１２６の処理と同様に、区域Ａｑを中心として、タッチパネル１０１の電極パターン１２７〜１２９とタッチパネル１０２の電極パターン１３０，１３１における５行５列の領域の検出値を用いて、上式（１），（２）に基づく重心計算を行う（Ｓ１１６）。この重心計算においては、つなぎ目部２０が存在しない場合の座標ｘｔが算出される。つまり、上式（１）に基づく座標ｘｔは、つなぎ目領域２０１と、区域Ａｑを含む電極パターン１２９とを一体の領域ＡＱとみなして計算している。そこで、つなぎ目領域２０１の寸法に応じて算出値をシフトするように、以下の補正計算を行う（Ｓ１１８）。
【００９０】
つなぎ目領域２０１の幅に応じて算出値を補正する補正値Δｘは、次式で算出される。
Δｘ＝（ｘｔ−ｓ１）×α      （３）
α＝（ｓ２−ｓ３）／ｓ３      （４）
ここで、パラメータｓ１は、つなぎ目領域２０１の左端のｘ座標から電極パターン１２９の幅ｓ３を差し引いた距離であり、タッチパネル１０１の幅ｗ１と電極パターンの幅ｓ３によって規定される。また、パラメータｓ２は、電極パターン１２９とつなぎ目領域２０１とを一体とみなした領域ＡＱの幅である。この場合、係数αは、α＝（２０−１０）／１０＝１、となる。位置算出回路１３は、この補正値Δｘを算出値ｘｔに加算して、ｘ座標を算出する。すなわち、補正後のｘ座標ｘｔ＋Δｘは、次式のように算出される。
ｘ＝ｘｔ＋（ｘｔ−ｓ１）×α      （５）
【００９１】
このような算出値の補正を行わなければ、つなぎ目領域２０１をタッチしているにもかかわらず、最寄りの電極パターン１２９上の位置が算出される。しかし、上述の補正計算によって、タッチ位置は、つなぎ目領域２０１上の座標に補正される。たとえば、つなぎ目領域２０１と電極パターン１２９の境界上の点Ｑに対して、算出値ｘｔ＝８５である場合、パラメータｓ１＝８０と係数α＝１とすると、タッチ位置のｘ座標は９０（＝８５＋（８５−８０）×１）に補正される。同様に、つなぎ目領域２０１上の点Ｑ’に対して、算出値ｘｔ＝８８である場合、タッチ位置のｘ座標は９６（＝８８＋（８８−８０）×１）に補正される。
【００９２】
タッチパネル１０３とタッチパネル１０４の間のつなぎ目領域２０４においても、つなぎ目領域２０１と同様に、つなぎ目領域２０４の幅に応じて、重心計算におけるｘ座標の補正を行う。
【００９３】
また、つなぎ目領域２０２，２０３においては、ｙ座標について、つなぎ目領域２０２，２０４におけるｘ座標の補正と同様の補正計算を行う。具体的には、位置算出回路１３は、つなぎ目部２０が存在しない場合のｙ座標ｙｔを上式（２）に基づく重心計算により算出する。次に、位置算出回路１３は、補正値Δｙを次式のように算出する。
Δｙ＝（ｙｔ−ｕ１）×β      （６）
β＝（ｕ２―ｕ３）／ｕ３      （７）
ここで、パラメータｕ１は、つなぎ目領域２０２，２０３の上端のｙ座標から駆動電極の幅ｕ３を差し引いた距離であり、タッチパネル１０１の高さｈ１と駆動電極の電極パターンの幅ｕ３によって規定される。また、パラメータｕ２は、１つの駆動電極とつなぎ目領域２０１とを一体とみなした領域の高さである。係数βは、つなぎ目領域２０２，２０３の高さに応じた係数である。補正後のｙ座標ｙ＋Δｙは、ｙｔ＋（ｙｔ−ｕ１）×βで算出される。
【００９４】
また、つなぎ目領域２０１〜２０４を連結するつなぎ目領域２０５においては、位置算出回路１３は、上述のｘ座標に関する補正計算と、ｙ座標に関する補正計算とを組み合わせて、タッチ位置の算出を行う。
【００９５】
以上のように、位置算出回路１３は、つなぎ目領域２０１〜２０５がタッチされた場合、タッチされたつなぎ目領域を跨いで隣り合うタッチパネルでの検出値を用いて、つなぎ目領域におけるタッチ位置を算出する。
【００９６】
１−３．効果等
以上のように、本実施の形態において、液晶表示装置は、複数のタッチパネル１０１〜１０４と、位置算出回路１３とを備える。タッチパネル１０１〜１０４は、タッチ操作を検出して、検出値を出力する。位置算出回路１３は、タッチパネル１０１〜１０４からの検出値に基づいて、タッチされたタッチ位置を算出する。各タッチパネル１０１〜１０４は、つなぎ目部２０を介してつなぎ合わされる。位置算出回路１３は、つなぎ目部２０のつなぎ目領域２０１〜２０５をタッチするタッチ操作に応じて、タッチされたつなぎ目領域を跨いで隣り合うタッチパネルによる検出値に基づいて、つなぎ目領域２０１〜２０５におけるタッチ位置を算出する。
【００９７】
以上の構成によると、つなぎ目部２０を跨いで隣り合う複数のタッチパネル１０１〜１０４による検出値を用いることで、つなぎ目領域２０１〜２０５におけるタッチ位置を検出することができる。
【００９８】
タッチパネル１０１〜１０４をつなぎ合わせたつなぎ目部２０におけるタッチ位置を算出することができる。そのため、タッチパネル１０１〜１０４を、間隔をあけてつなぎ合わせるという簡易な構成で、かつ製造コストを抑えて、表示部の大型化が可能となる。また、タッチパネル同士が重なり合うことなく配置されるので、各タッチパネルの電極を、タッチ位置の検出のために無駄なく使用することができる。
【００９９】
（実施の形態２）
実施の形態１では、つなぎ目部２０を跨いで隣り合うタッチパネルの検出値を用いて、つなぎ目部２０におけるタッチ位置を算出した。実施の形態２においては、つなぎ目部２０に仮想的な検出値を割り当てることにより、タッチ位置を算出する。以下、図面を用いて、実施の形態２を説明する。
【０１００】
２−１．構成
実施の形態２における液晶表示装置の構成は実施の形態１と同様である。以下、実施の形態１に係る液晶表示装置と同様の構成、動作の説明は適宜、省略して、本実施形態に係る液晶表示装置を説明する。
【０１０１】
２−２．動作
実施の形態２においては、つなぎ目部２０に仮想電極を配置してタッチ位置を算出する。以下、本実施形態におけるタッチ位置の算出方法を説明する。
【０１０２】
実施の形態２では、つなぎ目部２０に仮想的な検出値を割り当てて、仮想電極として取り扱う。図１６は、図１０のつなぎ目部２０における仮想電極の配置例を示す図である。図１３は、タッチパネル１０１とタッチパネル１０２の間のつなぎ目領域２０１上に仮想的な検出値を割り当てるための仮想電極を配置している。図１６において、検出値Ｄ１１〜Ｄ１４、Ｄ２１〜Ｄ２４、Ｄ３１〜Ｄ３４、Ｄ４１〜Ｄ４４はタッチパネル１０１の電極の各区域における検出値を示す。検出値Ｄ１６〜Ｄ１９、Ｄ２６〜Ｄ２９、Ｄ３６〜Ｄ３９、Ｄ４６〜Ｄ４９はタッチパネル１０２の電極の各区域における検出値を示す。データ値Ｖ１５〜Ｖ４５は、つなぎ目領域２０１における仮想電極の仮想的な検出値を示す。ここで、各検出値およびデータ値の範囲は、０〜２５５であるとする。
【０１０３】
本実施形態においては、図１６に示すように、つなぎ目領域２０１はタッチパネル１０１，１０２の各区域に合わせて区分けされ、つなぎ目領域２０１の各区域には、データ値Ｖ１５〜Ｖ４５が割り当てられる。これにより、継ぎ目領域２０１には仮想的な電極が配置されているとみなして、タッチ位置を算出できる。以下、タッチ位置を算出するための処理を説明する。
【０１０４】
図１７は、実施の形態２の液晶表示装置におけるタッチ位置を算出するためのフローチャートである。
【０１０５】
まず、位置算出回路１３は、実施形態１のステップＳ１１０の処理と同様に、タッチ操作がなされたか否かを検知する（Ｓ２１０）。タッチ操作を検知した場合（Ｓ２１０でＹＥＳ）、位置算出回路１３は、まずつなぎ目部２０における仮想電極のデータ値を算出する（Ｓ２２０）。位置算出回路１３は、例えば、仮想電極に隣接するタッチパネルにおける検出値の平均値により、仮想電極のデータ値を算出する。
【０１０６】
図１８を用いて、仮想電極に割り当てるデータ値Ｖ１５〜Ｖ４５の算出方法を説明する。位置算出回路１３は、つなぎ目領域２０１上の仮想電極のデータ値Ｖを、次式のように算出する。
Ｖ＝｛（Ｄ１×γ１）＋（Ｄ２×γ２）｝／２      （８）
ここで、データ値Ｖは、つなぎ目領域２０１上の仮想電極の区域のデータ値である。検出値Ｄ１は、つなぎ目領域２０１の左側にあるタッチパネル１０１において、仮想電極と隣り合う電極の区域の検出値である。検出値Ｄ２は、つなぎ目領域２０１の右側にあるタッチパネル１０２において、仮想電極と隣り合う電極の区域の検出値である。重み付け係数γ１、γ２は各タッチパネル１０１，１０２のパネル特性に依存する係数である。重み付け係数γ１、γ２は、例えばそれぞれ０以上２以下の値であり、γ２＝２−γ１である。例えば、データ値Ｖ１５の場合、仮想電極の区域の左隣の区域の検出値Ｄ１４と、仮想電極の区域の右隣の検出値Ｄ１６とに基づいて、Ｖ１５＝｛（Ｄ１４×γ１）＋（Ｄ１６×γ２）｝／２が算出される。
【０１０７】
また、図１０に示すつなぎ目領域２０４についても、上述のつなぎ目領域２０１の場合と同様に仮想電極のデータ値を算出する。
【０１０８】
また、つなぎ目領域２０２，２０３の場合、データ値Ｖは、次式のように算出される。
Ｖ＝｛（Ｄ３×γ３）＋（Ｄ４×γ４）｝／２      （９）
この場合、検出値Ｄ３は、つなぎ目領域２０２，２０３の上側にあるタッチパネル１０１，１０２において、仮想電極と隣り合う電極の区域の件検出値である。検出値Ｄ４は、つなぎ目領域２０２，２０３の下側にあるタッチパネル１０３，１０４において仮想電極と隣り合う電極の区域の検出値である。重み付け係数γ３、γ４は隣り合うタッチパネルのパネル特性に依存する係数である。重み付け係数γ３、γ４は、例えばそれぞれ０以上２以下の値であり、γ４＝２−γ３である。
【０１０９】
また、つなぎ目領域２０５上の仮想電極のデータ値は、つなぎ目領域２０１〜２０４において、つなぎ目領域２０５上の仮想電極と隣り合うつなぎ目部２０１〜２０４上の仮想電極のデータ値を用いて算出する。
【０１１０】
図１７に戻り、位置算出回路１３は、表示部１の表示面においてタッチされた区域を検出する（Ｓ２１４）。位置算出回路１３は、算出した仮想電極のデータ値と、タッチパネル１０１〜１０４の電極の検出値に基づいて、基準値からの変化が大きい区域をタッチされた区域として検出する。
【０１１１】
次に、位置算出回路１３は、タッチされた区域を含む所定の領域における検出値に基づいて、タッチ位置を算出する（Ｓ２１６）。図１８を用いて説明する。
【０１１２】
図１８を用いて、実施の形態２におけるタッチ位置の算出方法を具体的に説明する。図１８は、タッチパネル１０２におけるつなぎ目領域２０１付近の点Ｒ２がタッチされた状態を示す。位置算出回路１３は、点Ｒ２を含む区域Ａｒ２を検出して（Ｓ２１４）、区域Ａｒ２を中心とする５行５列における検出値を用いて上式（１）、（２）に基づく重心計算を行う（Ｓ２１６）。位置算出回路１３が、重心計算で用いる５行５列のうちの１列として、つなぎ目領域２０１の仮想電極上のデータ値Ｖ２５〜Ｖ６５を用いる。重心計算の計算方法は、実施形態１において説明したとおりである。
【０１１３】
以上のように、位置算出回路１３は、つなぎ目領域２０１〜２０５上の仮想電極の検出値を算出しておくことで、タッチパネル１０１〜１０４とつなぎ目領域２０１〜２０５のいずれがタッチされた場合も同じ計算処理でタッチ位置を算出する。
【０１１４】
２−３．効果等
以上のように、本実施の形態において、位置算出回路１３は、つなぎ目領域２０１〜２０５を跨いで隣り合う複数の区域の検出値に基づいて、つなぎ目領域２０１〜２０５上の区域の検出値を算出して、つなぎ目領域上の区域に割り当てる。
【０１１５】
位置算出回路１３は、タッチされた区域とその周囲からなる所定領域の検出値に基づいて、タッチ位置を算出する。
【０１１６】
これにより、表示部１の表示面を、つなぎ目部２０を含めて連続的に取り扱うことが可能となり、つなぎ目部２０におけるタッチ位置を算出することができる。そのため、タッチパネル１０１〜１０４を、間隔をあけてつなぎ合わせるという簡易な構成で、かつ製造コストを抑えて、表示部の大型化が可能となる。また、タッチパネル同士が重なり合うことなく配置されるので、各タッチパネルの電極を無駄なく使用することができる。
【０１１７】
（他の実施の形態）
以上のように、本出願において開示する技術の例示として、実施の形態１，２を説明した。しかしながら、本開示における技術は、これに限定されず、変更、置き換え、付加、省略などを行った実施の形態にも適用できる。また、上記実施の形態１，２で説明した各構成要素を組み合わせて、新たな実施の形態とすることも可能である。
【０１１８】
そこで、以下、他の実施の形態を例示する。
【０１１９】
各実施の形態では、表示部１は４枚のタッチパネルで構成されているが、タッチパネルの個数はこれに限定するものではない。
【０１２０】
各実施の形態において、表示部は、複数の液晶パネルをつなぎ合わせて構成された。表示部は、１つの液晶パネルで構成されてもよい。例えば、１つの液晶パネルの表示部に、複数のオフセル方式のタッチパネルが複数つなぎ合わされて設置されてもよい。また、表示部に、タッチセンサの静電容量検出用の電極が、所定間隔のつなぎ目領域に沿って、表示面上に設けられてもよい。画像を表示する表示面に、タッチセンサ機能を有するタッチパネルが、つなぎ目部を介して複数つなぎ合わされて位置していればよい。
【０１２１】
各実施の形態において、表示部として、液晶パネルを用いているが、液晶パネルでなくてもよい。例えば、有機ＥＬディスプレイやＬＥＤディスプレイ、電子ペーパーディスプレイであってもよい。
【０１２２】
各実施の形態において、位置算出回路１３は、フレキシブル配線板やプリント配線板やガラス基板に、各回路の半導体チップを搭載することにより構成された。位置算出部は、ＣＰＵなどの演算処理回路およびＲＯＭやＲＡＭなどのメモリで構成され、所定のプログラムを実行することによってその機能を実現してもよい。位置算出部の機能は、専用に設計された電子回路により実現されてもよい。
【０１２３】
なお、実施の形態１において、タッチ位置の算出では、重心計算の後に補正を行っているが、重心計算において、つなぎ目部の幅と検出値の重み付け係数を考慮した演算式で補正を行ってもよい。
【０１２４】
実施形態１において、図１２に示すステップＳ１１６，１２４，１２６の処理で、タッチ位置の計算に用いる検出値の領域は、５行５列に限らず、任意のＭ行Ｎ列（Ｍ，Ｎ＝２，３，…）であってもよい。また、タッチ位置の計算に用いる検出値の領域は、タッチされた区域を中心とする領域でなくてもよい。例えば、図１３に示す電極パターン１２２にタッチされた場合に、電極パターン１２１〜１２５の領域をタッチ位置の計算に用いてもよい。
【０１２５】
また、実施形態１において、図１２に示すステップＳ１２２の処理でタッチされた区域の周囲につなぎ目領域があるか否かを判定したが、タッチされた区域がつなぎ目領域に隣接するか否かを判定してもよい。つなぎ目領域に隣接する場合、つなぎ目領域を跨いで隣り合うタッチパネルの検出値を用いてタッチ位置を算出し、そうでない場合、１つのタッチパネルの検出値を用いてもよい。また、タッチされた区域が片方の側からつなぎ目領域に隣接するか否かを判定してもよい。
【０１２６】
実施形態１において、係数α、βはつなぎ目領域の幅または高さに応じた係数であったが、他の方法で規定してもよい。係数α、βは、つなぎ目領域の寸法や材質、タッチ位置とつなぎ目領域との位置関係によって調整してもよい。例えば、つなぎ目領域２０１とつなぎ目領域２０４で、異なる係数α、βを用いてもよい。
【産業上の利用可能性】
【０１２７】
本開示は、例えば電子黒板などの、静電容量結合方式の入力機能を有するタッチパネルを複数用いて大型化した表示装置に適用可能である。
【符号の説明】
【０１２８】
１  表示部
２  バックライトユニット
３  走査線駆動回路
４  映像線駆動回路
５  バックライト駆動回路
６  センサ駆動回路
７  信号検出回路
８  制御装置
９  映像信号線
１０  走査信号線
１１  駆動電極
１２  検知電極
１３  位置算出回路
１０１、１０２、１０３、１０４  タッチパネル
２０  つなぎ目部
２０１、２０２、２０３、２０４、２０５  つなぎ目領域
【図１】
2015194983.tif 000003
【図２】
2015194983.tif 000004
【図３】
2015194983.tif 000005
【図４】
2015194983.tif 000006
【図５】
2015194983.tif 000007
【図６】
2015194983.tif 000008
【図７】
2015194983.tif 000009
【図８】
2015194983.tif 000010
【図９】
2015194983.tif 000011
【図１０】
2015194983.tif 000012
【図１１】
2015194983.tif 000013
【図１２】
2015194983.tif 000014
【図１３】
2015194983.tif 000015
【図１４】
2015194983.tif 000016
【図１５】
2015194983.tif 000017
【図１６】
2015194983.tif 000018
【図１７】
2015194983.tif 000019
【図１８】
2015194983.tif 000020